(57)【要約】【課題】作業者がプローブの位置を注視した状態で、プローブと組織の距離、および、ＯＣＴによる情報の取得状況の少なくともいずれかを容易に作業者に把握させることができる光断層像撮影装置を提供する。【解決手段】光断層像撮影装置は、光源から出射された光束を、測定光と参照光に分割する。プローブから照射されて被検体内の組織で反射された測定光を、分割した参照光と合成し、干渉光を生成する。光断層像撮影装置のＣＰＵは、距離情報および取得状態情報の少なくともいずれかを、干渉光の干渉信号から取得する（Ｓ９，Ｓ１０）。距離情報とは、プローブと組織の距離に関する情報である。取得状態情報は、組織の深さ方向における情報の取得状態を示す。ＣＰＵは、可視光照射手段、音声発生手段、および振動発生手段の少なくともいずれかを、距離情報および取得状態情報の少なくともいずれかに基づいて制御する（Ｓ１１）。【選択図】図３
2014188275.tif 000002
【特許請求の範囲】
【請求項１】
被検体内の組織における深さ方向の情報を取得する光断層像撮影装置であって、
光源から出射された光束を測定光と参照光に分割する分割手段と、
前記分割手段によって分割された前記測定光を被検体内で照射するプローブが装着される装着部と、
前記プローブから照射されて前記被検体内の組織で反射された前記測定光と、前記分割手段によって分割された前記参照光とを合成して干渉光を生成する合成手段と、
前記合成手段によって生成された干渉光の干渉信号を用いて、前記プローブと前記組織の距離に関する情報である距離情報、および、前記深さ方向の情報の取得状態を示す取得状態情報の少なくともいずれかを取得する情報取得手段と、
前記被検体内に可視光を照射する可視光照射手段、音声を発生させる音声発生手段、および、振動を発生させる振動発生手段の少なくともいずれかを、前記情報取得手段によって取得された前記距離情報および前記取得状態情報の少なくともいずれかに基づいて制御する制御手段と
を備えたことを特徴とする光断層像撮影装置。
【請求項２】
前記制御手段は、前記距離情報から取得される前記プローブと前記組織の距離が閾値以下であるか否かに応じて、前記可視光照射手段、前記音声発生手段、および前記振動発生手段の少なくともいずれかの動作を切り替えることを特徴とする請求項１に記載の光断層像撮影装置。
【請求項３】
作業者による距離の設定値の入力を受け付ける設定値受付手段をさらに備え、
前記制御手段は、前記距離情報から取得される前記プローブと前記組織の距離が設定値であるか否かに応じて、前記可視光照射手段、前記音声発生手段、および前記振動発生手段の少なくともいずれかの動作を切り替えることを特徴とする請求項１または２に記載の光断層像撮影装置。
【請求項４】
前記制御手段は、基準レベル以上の前記深さ方向の情報が取得されているか否かを前記取得状態情報から判断し、判断結果に応じて、前記可視光照射手段、前記音声発生手段、および前記振動発生手段の少なくともいずれかの動作を切り替えることを特徴とする請求項１から３のいずれかに記載の光断層像撮影装置。
【請求項５】
前記可視光照射手段は、前記測定光が照射される位置を示すエイミング光を照射し、
前記制御手段は、前記エイミング光の波長、強度、および照射と消灯の周期の少なくともいずれかを、前記距離情報および前記取得状態情報の少なくともいずれかに基づいて変化させることを特徴とする請求項１から４のいずれかに記載の光断層像撮影装置。
【発明の詳細な説明】
【技術分野】
【０００１】
本発明は、被検物の組織の断層画像を撮影する光断層像撮影装置に関する。
【背景技術】
【０００２】
従来、被検物の所定部位における断層画像を撮影することができる装置として、光断層干渉計（Ｏｐｔｉｃａｌ  Ｃｏｈｅｒｅｎｃｅ  Ｔｏｍｏｇｒａｐｈｙ：ＯＣＴ）を用いた装置が知られている。ＯＣＴを用いた光断層像撮影装置は、光源から出射された光を測定光と参照光に分割し、分割した測定光を被検物の組織に照射する。組織によって反射された測定光を参照光と合成し、合成した光の干渉信号から、組織の深さ方向の情報を取得する。光断層像撮影装置は、取得した深さ方向の情報を用いて断層画像を生成することができる。
【０００３】
被検体内に挿入可能なプローブの先端から測定光を照射することで、組織の断層画像を被検物内から撮影する光断層像撮影装置も提案されている。例えば、非特許文献１が開示する技術では、プローブと組織表面との間の距離が、ＯＣＴ信号に基づいて計測される。計測された距離に従ってモータが駆動され、プローブと組織表面の間の距離が調整される。
【先行技術文献】
【非特許文献】
【０００４】
【非特許文献１】Ｋａｎｇ  Ｚｈａｎｇ，Ｐｅｔｅｒ  Ｇｅｈｌｂａｃｈ，Ｊｉｎ  Ｕ．Ｋａｎｇ“Ａ  ｃｏｍｍｏｎ−ｐａｔｈ  ｏｐｔｉｃａｌ  ｃｏｈｅｒｅｎｃｅ  ｔｏｍｏｇｒａｐｈｙ  ｄｉｓｔａｎｃｅ−ｓｅｎｓｏｒ  ｂａｓｅｄ  ｓｕｒｆａｃｅ  ｔｒａｃｋｉｎｇ  ａｎｄ  ｍｏｔｉｏｎ  ｃｏｍｐｅｎｓａｔｉｏｎ  ｈａｎｄ−ｈｅｌｄ  ｍｉｃｒｏｓｕｒｇｉｃａｌ  ｔｏｏｌ”Ｐｒｏｃ．  ｏｆ  ＳＰＩＥ  Ｖｏｌ．  ７８９４  ７８９４０Ｇ−１，２０１１
【発明の概要】
【発明が解決しようとする課題】
【０００５】
プローブを操作する作業者は、的確な作業を行うために、プローブの位置を注視して作業を行うことが望ましい。さらに、作業者は、プローブと組織の距離、および、ＯＣＴによる情報の取得状況の少なくともいずれかを把握することで、作業の的確性を向上させることができる。しかし、プローブと組織の距離、および、ＯＣＴによる情報の取得状況の少なくともいずれかを、プローブの位置を注視しつつ把握することは、従来の技術では困難であった。
【０００６】
本発明は、作業者がプローブの位置を注視した状態で、プローブと組織の距離、および、ＯＣＴによる情報の取得状況の少なくともいずれかを容易に作業者に把握させることができる光断層像撮影装置を提供することを目的とする。
【課題を解決するための手段】
【０００７】
本発明の光断層像撮影装置は、被検体内の組織における深さ方向の情報を取得する光断層像撮影装置であって、光源から出射された光束を測定光と参照光に分割する分割手段と、前記分割手段によって分割された前記測定光を被検体内で照射するプローブが装着される装着部と、前記プローブから照射されて前記被検体内の組織で反射された前記測定光と、前記分割手段によって分割された前記参照光とを合成して干渉光を生成する合成手段と、前記合成手段によって生成された干渉光の干渉信号を用いて、前記プローブと前記組織の距離に関する情報である距離情報、および、前記深さ方向の情報の取得状態を示す取得状態情報の少なくともいずれかを取得する情報取得手段と、前記被検体内に可視光を照射する可視光照射手段、音声を発生させる音声発生手段、および、振動を発生させる振動発生手段の少なくともいずれかを、前記情報取得手段によって取得された前記距離情報および前記取得状態情報の少なくともいずれかに基づいて制御する制御手段とを備える。
【０００８】
本発明の光断層像撮影装置は、作業者がプローブの位置を注視した状態で、プローブと組織の距離、および、ＯＣＴによる情報の取得状況の少なくともいずれかを容易に作業者に把握させることができる。
【図面の簡単な説明】
【０００９】
【図１】光断層像撮影装置１と周辺機器の概略構成を示す図である。
【図２】プローブ２の先端部近傍の拡大図である。
【図３】光断層像撮影装置１が実行するメイン処理のフローチャートである。
【図４】表示部３１に表示される閾値設定画面４１の一例を示す図である。
【図５】プローブ２からの距離と、検出された干渉光の強度とを示すグラフの一例である。
【図６】メイン処理において実行される通知制御処理のフローチャートである。
【図７】組織表面からのプローブの距離と、エイミング光および音声の出力態様とを示す図である。
【図８】表示部３１に表示される撮影中画面５０の一例を示す図である。
【発明を実施するための形態】
【００１０】
以下、本発明の一実施形態について、図面を参照して説明する。まず、図１を参照して、本実施形態に係る光断層像撮影装置１の概略構成について説明する。本実施形態の光断層像撮影装置（光コヒーレンストモグラフィーデバイス）１は、被検体内の組織の断層画像を、被検体内に挿入されるプローブ２を利用して撮影する。本実施形態では、被検眼Ｅの内部組織（例えば、網膜）の断層画像を撮影する眼科撮影装置を例示して説明を行う。しかし、本発明は、眼以外の被検体（例えば、内臓、耳等）の断層画像を撮影する装置にも適用できる。光断層像撮影装置１は、測定部１０と制御部２０を備える。
【００１１】
測定部１０は、光断層干渉計（ＯＣＴ：Ｏｐｔｉｃａｌ  Ｃｏｈｅｒｅｎｃｅ  Ｔｏｍｏｇｒａｐｈｙ）の構成を備える。本実施形態の測定部１０は、測定光源１１、エイミング光源１２、カップラー１３、カップラー１４、参照光学系１５、装着部１６、ファイバ回転モータ１７、および検出器（受光素子）１８を備える。
【００１２】
測定光源１１は、断層画像を取得するための光を出射する。一例として、本実施形態の光断層像撮影装置１は、出射するレーザ光の波長を高速で変化させることが可能な測定光源１１を備えることで、Ｓｗｅｐｔ−ｓｏｕｒｃｅ  ＯＣＴ（ＳＳ−ＯＣＴ）計測によって断層画像を取得する。本実施形態の測定光源１１は、レーザ媒体、共振器、および波長選択フィルタ等によって構成される。波長選択フィルタとして、例えば、回折格子とポリゴンミラーの組み合わせ、または、ファブリー・ペローエタロンを用いたフィルタ等を採用できる。
【００１３】
エイミング光源１２は、測定光の照射位置（つまり、深さ方向の情報の取得位置。断層画像を撮影する場合には、断層画像の撮影位置。）を示すための可視光であるエイミング光を出射する。本実施形態のエイミング光源１２は、緑色から赤色までの間でエイミング光の色（波長）を変化させることができる。また、エイミング光源１２は、エイミング光の点滅と常時点灯とを切り替えることができ、点滅の周期を変化させることもできる。
【００１４】
カップラー１３は、測定光源１１から出射された光と、エイミング光源１２から出射されたエイミング光とを合波し、２つの光の光軸を一致させる。カップラー１４は、カップラー１３から入射された光を、測定光（試料光）と参照光に分割する。測定光は、装着部１６に装着されたプローブ２に導波される。参照光は、参照光学系１５に導波される。また、カップラー１４は、被検眼Ｅによって反射された測定光（反射測定光）と、参照光学系１５によって生成された参照光とを合成して干渉光を生成する。カップラー１４は、生成した干渉光を検出器１８に受光させる。
【００１５】
参照光学系１５は、カップラー１４から導波された参照光を再びカップラー１４に戻す。参照光学系１５は、マイケルソンタイプであってもよいし、マッハツェンダタイプであってもよい。本実施形態では、参照光学系１５は、参照ミラー等を備えた反射光学系によって、カップラー１４から導かれた参照光を反射させて、カップラー１４に再び戻す。前述したように、カップラー１４に戻された参照光は、被検眼Ｅによる反射測定光と合成される。なお、参照光学系１５の構成は変更できる。例えば、参照光学系１５は、カップラー１４から導かれた参照光を反射させずに、光ファイバー等の透過光学系によって検出器１８へ透過させてもよい。
【００１６】
装着部（例えばコネクタ）１６には、プローブ２におけるファイバ４の後端部（基端部）が着脱可能に装着される。本実施形態のプローブ２は、ファイバ４、ハンドピース５、およびニードル６を備える。ファイバ４は、測定部１０のカップラー１４から導かれた測定光とエイミング光を、ニードル６の先端部まで導波する。ファイバ４はトルクコイル（図示せず）によって被覆されており、ハンドピース５に対して回転自在である。ハンドピース５は、作業者（例えば、検者、術者等）によって把持される略筒状の部材である。ニードル６は、ハンドピース５の先端に設けられており、ハンドピース５の外径よりも小さい外径を有する。ニードル６の先端部は、被検体（例えば、被検眼Ｅ）の内部に挿入される。ファイバ４は、ハンドピース５の後端部に接続し、ニードル６の先端部まで延びている。プローブ２は、ファイバ４によって導波された測定光およびエイミング光を走査させながら、先端部から出射することができる。プローブ２における先端部の構造の詳細については、図２を参照して後述する。
【００１７】
ファイバ回転モータ１７は、プローブ２のファイバ４が装着された装着部１６を、ファイバ４の軸を中心として回転させることができる。つまり、ファイバ回転モータ１７は、装着部１６を回転させることでファイバ４を回転させて、測定光およびエイミング光を走査させる。
【００１８】
検出器１８は、反射測定光と参照光の干渉状態を検出する。換言すると、検出器１８は、カップラー１４によって生成された干渉光の干渉信号を検出する。より詳細には、フーリエドメインＯＣＴの場合には、干渉光のスペクトル強度が検出器１８によって検出され、スペクトル強度データに対するフーリエ変換によって、所定範囲における深さプロファイル（Ａスキャン信号）が取得される。前述したように、本実施形態の光断層像撮影装置１には、ＳＳ−ＯＣＴが採用されている。しかし、光断層像撮影装置１には、種々のＯＣＴを採用できる。例えば、Ｓｐｅｃｔｒａｌ−ｄｏｍａｉｎ  ＯＣＴ（ＳＤ−ＯＣＴ）、Ｔｉｍｅ−ｄｏｍａｉｎ  ＯＣＴ（ＴＤ−ＯＣＴ）等のいずれを光断層像撮影装置１に採用してもよい。ＳＳ−ＯＣＴを採用する場合、複数の受光素子を有する平衡検出器を検出器１８として採用するのが望ましい。平衡検出器を用いる場合、光断層像撮影装置１は、複数の受光素子からの干渉信号の差分を得て、干渉信号に含まれる不要なノイズを削減することができる。その結果、断層画像の品質が向上する。
【００１９】
なお、測定部１０は、測定光と参照光の光路長差を変更する構成を有する。本実施形態の測定部１０は、参照光学系１５が備える光学部材（例えば、参照ミラー）を光軸方向に移動させることで、光路長差を変更する。ただし、光路長差を変更するための構成は、測定光の光路中に配置されてもよい。また、光断層像撮影装置１は、測定光のフォーカス調整を行うための光学系等の種々の構成をさらに備えるが、これらの詳細な説明は省略する。
【００２０】
制御部２０は、ＣＰＵ（プロセッサ）２１、ＲＡＭ２２、ＲＯＭ２３、および不揮発性メモリ２４等を備える。ＣＰＵ２１は、光断層像撮影装置１、および周辺機器の制御を司る。ＲＡＭ２２は、各種情報を一時的に記憶する。ＲＯＭ２３には、各種プログラム、初期値等が記憶されている。不揮発性メモリ２４は、電源の供給が遮断されても記憶内容を保持できる非一過性の記憶媒体である。例えば、ハードディスクドライブ、フラッシュＲＯＭ、および、光断層像撮影装置１に着脱可能に装着されるＵＳＢメモリ等を、不揮発性メモリ２４として使用することができる。不揮発性メモリ２４には、後述するメイン処理（図３参照）を制御するための撮影制御プログラムが記憶されている。また、不揮発性メモリ２４には、撮影された断層画像、プローブ２の先端部と組織との距離等の各種情報が記憶される。
【００２１】
本実施形態では、測定部１０に接続されたパーソナルコンピュータ（以下、「ＰＣ」という。）が制御部２０として用いられる。しかし、ＰＣを用いずに、測定部１０と制御部２０を１つのデバイスに一体化させてもよい。また、制御部２０は、複数の制御部（つまり、複数のプロセッサ）によって構成されてもよい。例えば、ＰＣに設けられた第一制御部と、測定部１０内に設けられた第二制御部とによって、光断層像撮影装置１の制御部２０が構成されてもよい。この場合、例えば、ＰＣの第一制御部は、ＰＣに接続された操作部の操作に基づいて、撮影の開始および終了等を第二制御部に対して指示すればよい。第二制御部は、第一制御部からの指示に従って、測定光源１１、エイミング光源１２、ファイバ回転モータ１７等の動作を制御すればよい。また、干渉信号に基づく画像の生成処理等は、第一制御部および第二制御部のいずれで行ってもよい。
【００２２】
制御部２０には、表示部３１、操作部３２、スピーカ３３、振動部３４、フットスイッチ３５、および手術顕微鏡３６等の周辺機器が電気的に接続される。表示部３１には、後述する作業中画面５０（図８参照）等が表示される。表示部３１は、ＰＣのディスプレイであってもよいし、光断層像撮影装置１専用のディスプレイであってもよい。複数のディスプレイが併用されてもよい。操作部３２は、作業者による各種操作指示を認識するためのデバイスである。操作部３２には、例えば、マウス、ジョイスティック、キーボード、タッチパネル等の少なくともいずれかを用いればよい。スピーカ３３は音声を発生させる。振動部３４は、作業者に感知される振動を発生させることができる。
【００２３】
フットスイッチ３５は、作業者の足元に配置される。作業者は、プローブ２等を注視しながらフットスイッチ３５を操作することができる。手術顕微鏡３６は、被検体（本実施形態では被検眼Ｅ）の内部を、手術中、診断中、またはこれらの訓練中に拡大表示（本実施形態では撮影して拡大表示）する。作業者は、手術顕微鏡３６を覗き込みながら手術、診断、またはこれらの訓練（本実施形態では、これらをまとめて「作業」という。）を行う。また、本実施形態では、制御部２０は、手術顕微鏡３６によって撮影された画像を取得し、表示部３１に表示させることができる。作業中には、作業者の補助者等は、表示部３１に表示された画像を確認することで、作業状況等を確認することができる。なお、手術顕微鏡３６を用いずに本発明を実現することも可能である。例えば、被検体の内部の画像を撮影するための観察光学系を、測定部１０に設けてもよい。この場合、作業者は、観察光学系によって撮影された画像を確認しながら作業を行うことができる。また、作業者が肉眼でプローブ２の先端部近傍を注視する場合でも、本発明は適用できる。
【００２４】
図２を参照して、プローブ２のニードル６における先端部の構造について詳細に説明する。ニードル６の先端部には、外筒６１、カバー６６、保持部６８、および集光部７１等が設けられている。
【００２５】
外筒６１は、ファイバ４の先端側の周囲（特に、保持部６８および集光部７１の周囲）を覆う。本実施形態では、外筒６１の形状は、先端に半球面状の閉塞部位を有する略筒状である。外筒６１は、測定光およびエイミング光を遮光する材質によって形成されている。外筒６１のうち、軸線方向において集光部７１が位置する部位の近傍には、測定光およびエイミング光の走査方向（軸周りの方向）に所定の幅を有する開口６２が形成されている。集光部７１から照射された光束は、開口６２の内側の領域６３（以下、「透過領域６３」という。）では外部に透過されるが、開口６２が形成されていない領域６４（以下、「遮光領域６４」という。）では外筒６１によって遮光される。
【００２６】
本実施形態では、外筒６１の内側の面には粗面加工が施されている。つまり、外筒６１の内側の面には、微細な多数の凹凸が形成されている。この場合、遮光領域６４では、外筒６１の内側の面に照射された光が散乱する。従って、外筒６１の内側が光を散乱させにくい場合（例えば、内側の面に鏡面加工が施されている場合）に比べて、遮光領域６４で反射された反射光が集光部７１に戻らない可能性が低下する。つまり、鏡面加工等が施されている場合には、集光部７１とは異なる方向に光が反射すると、集光部７１には反射光は入射しない。反射光が散乱すると、反射光は集光部に戻りやすい。よって、光断層像撮影装置１は、測定光が遮光領域６４に照射されていることを検出する場合に、遮光領域６４で反射された反射光を用いてより確実な検出を行うことができる。
【００２７】
なお、本実施形態の透過領域６３の形状は略矩形であるが、透過領域６３の大きさ、形状、数等を変更できることは言うまでもない。また、透過領域６３と遮光領域６４を形成するための具体的な方法も変更できる。例えば、測定光およびエイミング光を透過する材質と、遮光する材質とを組み合わせて外筒６１を製造することで、透過領域６３と遮光領域６４を形成してもよい。
【００２８】
カバー６６は、測定光およびエイミング光を透過する材質によって形成されており、外筒６１の外側を閉塞する。従って、カバー６６は、血液、硝子体の組織等が開口６２から外筒６１の内側に侵入することを防止しつつ、透過領域６３の内側と外側との間における光の透過を許容する。なお、カバー６６は外筒６１の内側に位置してもよい。また、カバー６６は、外筒６１の開口６２のみを閉塞する形状でもよい。
【００２９】
保持部６８は、外形略円柱状の部材であり、外筒６１に対して固定されている。保持部６８の軸心部分には、ファイバ４を回転可能な状態で挿通する挿通孔６９が形成されている。保持部６８は、外筒６１に対するファイバ４の軸の位置を一定にした状態で、ファイバ４を回転可能に保持する。
【００３０】
集光部７１は、ファイバ４の先端部に設けられている。集光部７１は、ファイバ４の先端部から出射された光を偏向させると共に、被検体の組織に集光させる。また、集光部７１は、組織で反射された反射測定光を受光し、ファイバ４に入射させる。本実施形態の集光部７１は、ファイバ４の軸方向に対して約７０度の角度で光を偏向させるが、偏向の角度は適宜変更できる。なお、ファイバ４のうち、保持部６８よりも後端側の部分の外周には、ファイバ４のねじれ等を抑制するためのシャフト７３が設けられている。
【００３１】
図３から図８を参照して、光断層像撮影装置１が実行するメイン処理について説明する。本実施形態の光断層像撮影装置１は、反射測定光と参照光の干渉光から干渉信号を取得する。取得した干渉信号を処理することで、組織の断層画像を取得する。さらに、光断層像撮影装置１は、組織表面とプローブ２との距離Ｄ、および、断層画像の取得状態に基づいて、エイミング光等を制御する。その結果、作業者は、距離Ｄおよび断層画像の取得状態を、プローブ２の位置を注視した状態（本実施形態では、手術顕微鏡３６を覗いた状態）で容易に把握することができる。制御部２０のＣＰＵ２１は、光断層像撮影装置１の電源がオンとされると、不揮発性メモリ２４に記憶された制御プログラムに従って、図３に示すメイン処理を実行する。
【００３２】
まず、閾値の設定の実行指示が操作部３２に入力されたか否かが判断される（Ｓ１）。実行指示が入力されていなければ（Ｓ１：ＮＯ）、断層画像の撮影の開始指示が操作部３２に入力されたか否かが判断される（Ｓ５）。撮影の開始指示が入力されていなければ（Ｓ５：ＮＯ）、処理はＳ１の判断へ戻る。閾値の設定の実行指示が入力されると（Ｓ１：ＹＥＳ）、近接警告用閾値および特定距離通知用閾値の入力が受け付けられて、受け付けられた閾値が設定される（Ｓ２，Ｓ３）。
【００３３】
図４に示すように、Ｓ２，Ｓ３の処理では、閾値設定画面４１が表示部３１に表示される。詳細は後述するが、本実施形態の光断層像撮影装置１は、近接警告および特定距離通知の動作を実行することができる。近接警告とは、プローブ２と組織表面の距離Ｄが近接警告用閾値Ｎ以下になった旨の警告である。作業者は、自らの技量等に応じた近接警告用閾値Ｎを、操作部３２を操作して入力すればよい。また、特定距離通知とは、作業者によって設定された２つの特定距離通知用閾値の間（特定距離の範囲）に距離Ｄが収まっている旨の通知である。作業者は、例えば、高品質の断層画像を撮影可能な距離Ｄの範囲等を、特定距離の範囲として操作部３２に入力するとよい。ＣＰＵ２１は、操作部３２に入力された近接警告用閾値Ｎおよび特定距離通知用閾値を、不揮発性メモリ２４に記憶することで、閾値を設定する。処理はＳ５の判断へ移行する。
【００３４】
撮影の開始指示が入力されると（Ｓ５：ＹＥＳ）、測定光源１１およびエイミング光源１２の発光が開始されると共に、ファイバ回転モータ１７による測定光の走査が開始される（Ｓ６）。検出器１８によって干渉光が検出されることで干渉信号が取得され、取得された干渉信号が処理される（Ｓ８）。より詳細には、本実施形態のＣＰＵ２１は、取得された干渉信号に対し、フーリエ変換等の公知のスペクトル解析処理を行うことで、測定光が照射された部位の深さ方向の情報（深さ方向における振動強度分布）を取得する（図５参照）。ＣＰＵ２１は、測定光を走査しながら深さ方向の情報を取得することで、二次元の断層画像を取得する。
【００３５】
次いで、プローブ２と組織表面の距離に関する情報（距離情報）が取得され、取得された距離情報が、その時点の時間に対応付けて記憶される（Ｓ９）。本実施形態では、プローブ２と組織表面の距離Ｄ自体が距離情報として取得される。詳細には、Ｓ８で取得された深さ方向の情報に対して、公知のフィルタリング処理等が実行される。次いで、図５に示すように、干渉光の強度が閾値Ｐ以上となった部位のうち、プローブ２に最も近い部位が組織表面に特定され、組織表面とプローブ２の距離Ｄが取得される。なお、距離Ｄの詳細な取得方法が適宜変更できることは言うまでもない。
【００３６】
次いで、深さ方向の情報の取得状態を示す取得状態情報が取得され、取得された情報が、その時点の時間に対応付けて記憶される（Ｓ１０）。本実施形態では、一例として、断層画像の撮影状態を示す情報が、取得状態情報として用いられる。より詳細には、ＣＰＵ２１は、取得された断層画像の輝度分布を参照し、輝度分布から得られる情報（例えば、輝度のピーク値、輝度の積分値、輝度の変化量の最大値等の少なくともいずれか）を取得状態情報として取得する。後述するＳ２６では、ＣＰＵ２１は、一定の品質（基準レベル）以上の断層画像が取得されているか否かを、取得状態情報を用いて判断する。ただし、取得状態情報の具体的な内容および取得方法は、適宜変更できる。例えば、ＣＰＵ２１は、断層画像の輝度分布を用いずに、少なくとも１箇所の深さ方向の情報から、組織の層の境界を検出するセグメンテーション処理を行ってもよい。セグメンテーション処理によって一定レベルの境界（エッジ）が検出されたか否かによって、深さ方向の情報の取得状態を判断してもよい。この場合には、Ｓ１０では、セグメンテーション処理を行った結果が取得状態情報として取得される。
【００３７】
なお、本実施形態では、プローブ２の外筒６１に透過領域６３と遮光領域６４が形成されている（図２参照）。従って、集光部７１から照射される光は、透過領域６３では組織まで到達するが、遮光領域６４では外筒６１によって遮光される。よって、遮光領域６４に光が透過されている間、ＣＰＵ２１は、距離情報を取得することはできず、且つ、取得状態情報を取得する必要が無い。本実施形態の光断層像撮影装置１は、物体（組織および遮光領域６４等）によって反射されて集光部７１に戻った反射測定光を検出するための検出素子（図示せず）を備えてもよい。ＣＰＵ２１は、検出素子によって検出された反射測定光の強度に基づいて、走査中の光が透過領域６３および遮光領域６４のいずれに照射されているかを検出してもよい。ＣＰＵ２１は、走査中の光が透過領域６３に照射されている場合にのみ、距離情報および取得状態情報を取得してもよい（Ｓ９，Ｓ１０）。この場合、ＣＰＵ２１は、より正確な距離情報および取得状態情報を取得することができる。なお、ＣＰＵ２１は、光が透過領域６３に照射されているか否かを、検出器１８によって検出される干渉光の強度に基づいて判断してもよい。
【００３８】
次いで、通知制御処理が行われる（Ｓ１１）。通知制御処理では、距離情報および取得状態情報に基づいて、エイミング光源１２の発光、および、スピーカ３３による音声の出力が制御される。その結果、距離Ｄと断層画像の撮影状態とが作業者によって把握される。なお、本実施形態の光断層像撮影装置１は、振動部３４の動作を用いて距離Ｄと撮影状態を作業者に把握させることも可能である。しかし、以下では、エイミング光源１２およびスピーカ３３の制御のみを例示して説明を行う。
【００３９】
図６に示すように、通知制御処理が開始されると、距離Ｄが近接警告用閾値Ｎ以下であるか否かが判断される（Ｓ２１）。前述したように、本実施形態では、近接警告用閾値Ｎは作業者によって設定されている。距離Ｄが閾値Ｎ以下であれば（Ｓ２１：ＹＥＳ）、ＣＰＵ２１は、エイミング光を点滅させて（Ｓ２２）、且つ、スピーカ３３から所定の警告音を出力させる（Ｓ２３）。距離Ｄが閾値Ｎよりも大きければ（Ｓ２１：ＮＯ）、ＣＰＵ２１は、エイミング光を常時点灯させる（Ｓ２４）。
【００４０】
従って、図７に示すように、作業者は、エイミング光の状態（常時点灯または点滅）を確認することで、プローブ２が組織表面に近接しているか否かを把握することができる。さらに、作業者は、警告音が出力されているか否かを確認することで、プローブ２が組織表面に近接しているか否かを確認することができる。
【００４１】
次いで、深さ方向の情報の取得状態（本実施形態では、断層画像の撮影状態）が良好であるか否かが、取得状態情報によって判断される（Ｓ２６）。例えば、断層画像の輝度分布のピーク値が取得状態情報として取得されている場合には、ＣＰＵ２１は、ピーク値が基準レベル以上であるか否かによって、撮影状態が良好であるか否かを判断することができる。なお、取得状態が良好であるか否を判断する方法には、上記に例示した方法以外の方法を採用することもできる。取得状態が良好であれば（Ｓ２６：ＹＥＳ）、エイミング光が緑色に調整される（Ｓ２７）。取得状態が良好でなければ（Ｓ２６：ＮＯ）、エイミング光が赤色に調整される（Ｓ２８）。
【００４２】
図７に示すように、プローブ２と組織表面の距離Ｄが近すぎる場合（例えば、約２．０ｍｍ以下である場合）には、深さ方向の情報の取得状態が悪化し、良好な断層画像は取得されない。また、距離Ｄが遠すぎる場合（例えば、約４．４ｍｍ以上である場合）にも、深さ方向の情報の取得状態は悪化する。従来の光断層像撮影装置では、作業者は、プローブの先端部の注視（例えば、手術顕微鏡を用いた被検体内部の確認）を中断し、表示部に表示されている断層画像を確認しなければ、撮影状態を自ら把握することは困難であった。プローブの先端部の注視を中断すると、プローブが組織表面に接触し、被検体を傷つける等の問題が生じる場合がある。従って、距離Ｄが撮影可能範囲Ｋに収まるようにプローブ２を操作することは、容易ではなかった。しかし、本実施形態の光断層像撮影装置１によると、作業者は、プローブ２の先端部を注視しつつ、深さ方向の情報の取得状態が良好であるか否かを容易に把握することができる。
【００４３】
次いで、距離Ｄが特定距離範囲内に収まっているか否かが判断される（Ｓ３０）。前述したように、本実施形態では、２つの特定距離通知用閾値が作業者によって設定されることで、特定距離の範囲が設定されている。距離Ｄが特定距離範囲内に収まっていれば（Ｓ３０：ＹＥＳ）、ＣＰＵ２１は、スピーカ３３から所定の通知音を出力させる（Ｓ３１）。処理はメイン処理へ戻る。距離Ｄが特定距離範囲内に収まっていなければ（Ｓ３０：ＮＯ）、処理はそのままメイン処理へ戻る。
【００４４】
図７に示すように、作業者は、自ら設定した特定距離の範囲内に距離Ｄが収まっているか否かを、通知音の出力の有無によって判断することができる。従って、作業者は、例えば距離Ｄを一定の範囲内で維持させたい場合等には、特定距離通知用閾値を所望の値に設定し、通知音の有無を確認しながら作業を行うことで、作業内容を向上させることができる。
【００４５】
図３の説明に戻る。通知制御処理（Ｓ１１）が終了すると、図８に示す撮影中画面５０が更新される（Ｓ１２）。本実施形態の撮影中画面５０には、正面画像表示部５１、断層画像表示部５２、現在距離表示部５３、チェックポイント距離表示部５４、および時間−距離グラフ表示部５５が設けられている。
【００４６】
正面画像表示部５１には、手術顕微鏡３６から入力した被検体の内部（本実施形態では眼底）の正面画像が表示される。図８に示す例では、眼底における乳頭の近傍の組織と、組織に照射されたエイミング光とが表示されている。断層画像表示部５２には、Ｓ８で取得された干渉信号から得られる断層画像が表示される。現在距離表示部５３には、その時点の距離Ｄが表示される。作業者の補助を行う補助者等は、現在距離表示部５３を見ることで、その時点の距離Ｄを的確に把握することができる。チェックポイント距離表示部５４には、作業者がフットスイッチ３５を操作した時点の距離Ｄが１または複数表示される。
【００４７】
時間−距離グラフ表示部５５には、図８に例示する時間−距離グラフが表示される。時間−距離グラフは、一方の軸（本実施形態では横軸）を時間ｔ、他方の軸を距離Ｄとし、時間Ｔと距離Ｄの推移をグラフ化したものである。本実施形態では、距離Ｄが撮影可能範囲Ｋに収まっている部分（実線）と、距離Ｄが撮影可能範囲Ｋに収まっていない部分（点線）とが、異なる態様で表示される。従って、作業者は、作業の終了後にグラフを確認することで、撮影状態が良好であった時間帯を、グラフの表示態様によって把握することも可能である。なお、距離Ｄが撮影可能範囲Ｋに収まっているか否かは、深さ方向の情報の取得状態が良好であるか否かによって判断できる。また、ＣＰＵ２１は、距離Ｄが近接警告用閾値Ｎ以下となった部分のグラフの表示態様を、他の部分とは異なる表示態様としてもよい。
【００４８】
ＣＰＵ２１は、Ｓ１２の処理において、正面画像表示部５１、断層画像表示部５２、現在距離表示部５３、および時間−距離グラフ表示部５５の表示内容を、最新の表示内容に更新する。本実施形態では、表示部３１表示される撮影中画面５０の画像データが不揮発性メモリ２４に記憶（録画）される。従って、作業者は、作業終了後に撮影中画面５０を再生させて作業内容を確認することもできる。
【００４９】
次いで、フットスイッチ３５がオンとされたか否かが判断される（Ｓ１４）。本実施形態では、作業者は、その時点の距離Ｄを後で確認したい場合にフットスイッチ３５を操作する。ＣＰＵ２１は、フットスイッチ３５が操作されてオンとされると（Ｓ１４：ＹＥＳ）、その時点の時間ｔと距離Ｄを対応付けて、不揮発性メモリ２４に記憶させる（Ｓ１５）。フットスイッチ３５が操作されたことを示すマーク（図８の時間−距離グラフ表示部５５におけるＰ１，Ｐ２，Ｐ３）を、時間−距離グラフ表示部５５のうち、その時点の時刻ｔと距離Ｄに対応する位置に表示させる（Ｓ１６）。また、チェックポイント距離表示部５４の表示内容が更新される。処理はＳ１８の判断に移行する。フットスイッチ３５がオンとされていなければ（Ｓ１４：ＮＯ）、処理はそのままＳ１８の判断へ移行する。
【００５０】
次いで、撮影を終了させる指示が操作部３２に入力されたか否かが判断される（Ｓ１８）。終了指示が入力されていなければ（Ｓ１８：ＮＯ）、処理はＳ８へ戻り、Ｓ８〜Ｓ１８の処理が繰り返される。撮影の終了指示が入力されると（Ｓ１８：ＹＥＳ）、メイン処理は終了する。
【００５１】
以上説明したように、本実施形態の光断層像撮影装置１は、距離情報および取得状態情報の少なくともいずれかに基づいて、可視光、音声、および振動の少なくともいずれかを制御する。作業者は、被検体内に挿入したプローブ２を注視した状態でも、被検体内に照射された可視光の変化、音声、および振動を把握することができる。従って、作業者は、プローブ２と組織の距離、および、ＯＣＴによる情報の取得状況の少なくともいずれかを、プローブ２を注視した状態で容易に把握することができる。
【００５２】
例えば、プローブ２が被検体の組織に接触すると、組織を傷つける可能性、断層画像の撮影状態が悪化する可能性等がある。従って、作業者は、プローブ２の先端部を極力注視しながら作業を行うことが望ましい。一方で、プローブ２を注視するだけでは、プローブ２と組織の間の距離Ｄを把握し難い場合もあった。本実施形態の光断層像撮影装置１によると、作業者は、プローブ２を注視しつつ、距離Ｄを把握することができる。また、従来では、作業者が作業中に撮影状態を把握するためには、プローブ２から眼を離して表示部３１の画像を確認する方法、補助者に撮影状態を通知してもらう方法等を用いる必要があった。本実施形態の光断層像撮影装置１によると、プローブ２を注視しつつ、断層画像の撮影状態（つまり、深さ方向の情報の取得状態）を容易に把握することができる。
【００５３】
また、光断層像撮影装置１を用いて、手術および診断等のトレーニングが行われる場合もある。この場合に、作業者は、プローブ２を注視しながら距離Ｄおよび撮影状態を把握できる。よって、本実施形態の光断層像撮影装置１によると、トレーニングの効率も向上する。
【００５４】
本実施形態の光断層像撮影装置１は、プローブ２と組織の距離が近接警告用閾値Ｎ以下であるか否かに応じて、可視光、音声、および振動の少なくともいずれかの動作を切り替える。この場合、作業者は、プローブ２と組織の距離が近づいたことを、プローブ２の位置を注視した状態で容易に把握することができる。
【００５５】
本実施形態の光断層像撮影装置１は、作業者によって指定された閾値（本実施形態では、近接警告用閾値Ｎおよび特定距離通知用閾値）を基準として、可視光、音声、および振動の少なくともいずれかを切り替える。この場合、作業者は、自らの技量、作業内容、手術等を行う部位等に応じて閾値を設定することで、作業の内容をさらに向上させることができる。
【００５６】
本実施形態の光断層像撮影装置１は、深さ方向の情報の取得レベルが基準レベル以上であるか否かに基づいて、可視光、音声、および振動の少なくともいずれかを切り替える。この場合、作業者は、深さ方向の情報が適切に取得されているか否か（例えば、良好な断層画像が撮影されているか否か）を、プローブ２の位置を注視した状態で容易に把握することができる。
【００５７】
本実施形態の光断層像撮影装置１は、測定光が照射される位置を示すエイミング光の発光態様を、距離情報および取得状態情報に基づいて変化させる。作業者は、測定光の照射位置を所望の位置に調整するために、エイミング光の照射位置を注視しながら作業を行う場合が多い。光断層像撮影装置１は、注視しているエイミング光の変化によって、作業状況を容易に把握することができる。
【００５８】
本発明は上記実施形態に限定されることはなく、様々な変形が可能であることは勿論である。上記実施形態の光断層像撮影装置１は、測定光を走査させて組織の断層画像を撮影しつつ、可視光、音声、および振動の少なくともいずれかを制御する。しかし、光断層像撮影装置１は、測定光を走査させなくても、組織の深さ方向の情報（いわゆるＡスキャン情報）を取得することができる。従って、例えば、光断層像撮影装置１は、走査させていない測定光の反射光から得られたＡスキャン情報から、プローブ２と組織の距離Ｄ、および、Ａスキャン情報の取得状態の少なくともいずれかを検出してもよい。
【００５９】
上記実施形態で説明した距離Ｄの通知方法、および、深さ方向に関する情報の取得状態の通知方法は、一例である。従って、具体的な通知方法を変更することも可能である。
【００６０】
例えば、上記実施形態の光断層像撮影装置１は、距離Ｄおよび情報の取得状態に応じてエイミング光の色を変化させる。作業者は、プローブ２の先端部とエイミング光とを同時に視認することができるため、プローブ２を注視しつつ作業状態を把握することができる。しかし、光断層像撮影装置１は、被検体の内部を照明する照明光の波長（色）、強度、および照射と消灯の少なくともいずれかを、良好な断層画像が取得されているか否かに応じて変化させてもよい。つまり、光断層像撮影装置１は、被検体内に照射される種々の可視光（例えば、エイミング光、照明光、固視灯の光等）を変化させることで、距離Ｄおよび情報の取得状態を作業者に通知することが可能である。
【００６１】
また、光断層像撮影装置１は、スピーカ３３および振動部３４の少なくともいずれかの動作を、良好な断層画像が取得されているか否かに応じて変化させてもよい。光断層像撮影装置１は、音声の代わりに、または音声と共に、可視光および振動の少なくともいずれかを、距離Ｄが特定距離の範囲内であるか否かに応じて変化させてもよい。光断層像撮影装置１は、可視光源およびスピーカ３３のいずれか一方の動作を、距離Ｄが近接警告用閾値Ｎ以下であるか否かに応じて変化させてもよい。また、光断層像撮影装置１は、可視光源（本実施形態ではエイミング光源１２）、スピーカ３３、および振動部３４の少なくともいずれかを制御できればよく、これらの全てを制御できる必要は無い。
【００６２】
また、光断層像撮影装置１は、可視光の強度、可視光の色、可視光の点滅間隔、音声の大きさ、音声の周波数、振動の強さ、振動の周波数等の少なくともいずれかを、距離Ｄに応じて段階的に、または徐々に変化させてもよい。この場合、作業者は、可視光、音声、および振動の変化によって、距離Ｄをより正確に把握することができる。例えば、光断層像撮影装置１は、距離Ｄが小さくなる程、可視光の色が緑から赤に近づくように、可視光源を制御してもよい。この場合、作業者は、可視光の色の度合いに応じて距離Ｄを把握することができる。また、光断層像撮影装置１は、距離Ｄが小さくなる程、可視光の点滅の間隔（点滅周期）が短くなるように、可視光源を制御してもよい。距離Ｄが小さくなる程、音声の周波数が高くなるように、スピーカ３３を制御してもよい。
【００６３】
上記実施形態の光断層像撮影装置１は、距離Ｄ、および深さ方向に関する情報の取得状態を共に取得する。さらに、距離Ｄ、および情報の取得状態の各々に応じて、可視光、音声、および振動の少なくともいずれかを制御する。しかし、光断層像撮影装置１は、距離Ｄおよび情報の取得状態のいずれかを取得してもよい。また、距離Ｄおよび情報の取得状態の一方のみを作業者に通知してもよい。
【００６４】
上記実施形態のプローブ２は一例であり、プローブ２の構成を変更することも可能である。例えば、鉗子等を備えた手術用デバイスと、組織の深さ方向の情報を取得するための光学系とを共に備えたプローブを用いてもよい。先端部が屈曲されたプローブを用いても良い。また、測定光を走査させる方法も変更できる。例えば、測定光を変更させる偏向部（例えば、ＭＥＭＳミラー等）をプローブの先端に設け、偏向部を駆動することで測定光を走査させてもよい。
【００６５】
上記実施形態では、作業者は、その時点の距離Ｄを後で確認したい場合にフットスイッチ３５を操作する。作業者は、プローブ２を把持している場合でもフットスイッチ３５を操作することができるため、作業の安全性の低下等は生じにくい。しかし、フットスイッチ３５以外の操作手段を採用することも可能である。例えば、プローブ２にスイッチを設ける場合でも、作業者は、プローブ２を把持しながらスイッチを操作することができる。
【符号の説明】
【００６６】
１    光断層像撮影装置
２    プローブ
１１    測定光源
１２    エイミング光源
１４    カップラー
１５    参照光学系
１６    装着部
１８    検出器
２０    制御部
２１    ＣＰＵ
２４    不揮発性メモリ
３３    スピーカ
３４    振動部
【図１】
2014188275.tif 000003
【図２】
2014188275.tif 000004
【図３】
2014188275.tif 000005
【図４】
2014188275.tif 000006
【図５】
2014188275.tif 000007
【図６】
2014188275.tif 000008
【図７】
2014188275.tif 000009
【図８】
2014188275.tif 000010